(57)【要約】【課題】  在室者が温度調節のためにコントローラなどを用いて操作することなく適切に当該在室者の近傍の温度の調節を行うことができ、また空調設備の消費電力を適切に削減することができる空調管理システムを提供する。【解決手段】  無線信号送信装置が、無線信号を送信し、空調設備制御装置が、無線信号を受信した受信装置から少なくとも当該受信装置の識別情報を受信する。また空調設備制御装置は、少なくとも前記受信した識別情報に基づいて、制御を行う前記空調設備を決定すし、受信した識別情報に基づいて、制御を行うと決定した空調設備の制御用の制御情報を生成する。そして制御情報を制御を行うと決定した空調設備へ送信する。【選択図】    図１
2006242540.tif 000002
【特許請求の範囲】
【請求項１】
在室者の保持した無線信号送信装置と、前記無線信号送信装置を受信する受信装置と、室内の空調設備の制御を行う空調設備制御装置と、を備えた空調管理システムであって、
前記無線信号送信装置が、
無線信号を送信する無線信号発信手段を備え、
前記空調設備制御装置が、
前記無線信号を受信した受信装置から少なくとも当該受信装置の識別情報を受信する受信手段と、
少なくとも前記受信した識別情報に基づいて、制御を行う前記空調設備を決定する空調設備決定手段と、
少なくとも前記受信した前記識別情報に基づいて、前記制御を行うと決定した空調設備の制御用の制御情報を生成する制御情報生成手段と、
前記制御情報を前記制御を行うと決定した空調設備へ送信する制御情報送信手段と、
を備えることを特徴とする空調管理システム。
【請求項２】
前記受信手段は、前記受信装置から当該受信装置の識別情報とともに前記無線信号の受信時の受信強度を受信し、
前記空調設備決定手段は、少なくとも受信した前記識別情報と前記受信強度とに基づいて、制御を行う前記空調設備を決定し、
制御情報生成手段は、少なくとも受信した前記識別情報と前記受信強度とに基づいて、前記制御を行うと決定した空調設備の制御情報を生成する
ことを特徴とする請求項１に記載の空調管理システム。
【請求項３】
前記受信手段が、端末からの制御指示情報を受信し、
前記制御情報生成手段は、
前記制御指示情報が前記制御を行うと決定した空調設備の制御変更を示す情報である場合には、当該制御指示に基づく制御を停止し、前記制御指示情報が前記制御を行うと決定した空調設備以外の空調設備の制御変更を示す情報である場合には、当該制御指示情報で示される情報を前記制御情報とする
ことを特徴とする請求項１または請求項２に記載の空調管理システム。
【請求項４】
前記無線信号送信装置の無線信号発信手段は、所定の間隔毎に前記無線信号を送信し、
前記受信手段は、所定の間隔毎に、前記無線信号を受信した受信装置から、前記受信装置の識別情報、前記受信強度、のいずれかまたは両方を受信し、
前記空調設備決定手段は、前記所定の間隔毎に制御を行う前記空調設備を決定し、
前記制御情報生成手段は、前記所定の間隔毎に前記制御を行うと決定した空調設備の制御情報を生成する
ことを特徴とする請求項２または請求項３に記載の空調管理システム。
【請求項５】
在室者の保持した無線信号送信装置と、前記無線信号送信装置を受信する受信装置と、室内の空調設備の制御を行う空調設備制御装置と、を備えた空調管理システムにおける前記空調設備制御装置であって、
前記無線信号送信装置から送信された無線信号を受信した前記受信装置から少なくとも当該受信装置の識別情報を受信する受信手段と、
少なくとも前記受信した識別情報に基づいて、制御を行う前記空調設備を決定する空調設備決定手段と、
少なくとも前記受信した前記識別情報に基づいて、前記制御を行うと決定した空調設備の制御用の制御情報を生成する制御情報生成手段と、
前記制御情報を前記制御を行うと決定した空調設備へ送信する制御情報送信手段と、
を備えることを特徴とする空調設備制御装置。
【請求項６】
前記受信手段は、前記受信装置から当該受信装置の識別情報とともに前記無線信号の受信時の受信強度を受信し、
前記空調設備決定手段は、少なくとも受信した前記識別情報と前記受信強度とに基づいて、制御を行う前記空調設備を決定し、
制御情報生成手段は、少なくとも受信した前記識別情報と前記受信強度とに基づいて、前記制御を行うと決定した空調設備の制御情報を生成する
ことを特徴とする請求項５に記載の空調設備制御装置。
【請求項７】
前記受信手段が、端末からの制御指示情報を受信し、
前記制御情報生成手段は、
前記制御指示情報が前記制御を行うと決定した空調設備の制御変更を示す情報である場合には、当該制御指示に基づく制御を停止し、前記制御指示情報が前記制御を行うと決定した空調設備以外の空調設備の制御変更を示す情報である場合には、当該制御指示情報で示される情報を前記制御情報とする
ことを特徴とする請求項５または請求項６に記載の空調設備制御装置。
【請求項８】
前記受信手段は、所定の間隔毎に、前記無線信号を受信した受信装置から、前記受信装置の識別情報、前記受信強度、のいずれかまたは両方を受信し、
前記空調設備決定手段は、前記所定の間隔毎に制御を行う前記空調設備を決定し、
前記制御情報生成手段は、前記所定の間隔毎に前記制御を行うと決定した空調設備の制御情報を生成する
ことを特徴とする請求項６または請求項７に記載の空調設備制御装置。
【請求項９】
在室者の保持した無線信号送信装置と、前記無線信号送信装置を受信する受信装置と、室内の空調設備の制御を行う空調設備制御装置と、を備えた空調管理システムにおける前記空調設備制御装置の空調設備制御方法であって、
前記無線信号送信装置から送信された無線信号を受信した前記受信装置から少なくとも当該受信装置の識別情報を受信する受信課程と、
少なくとも前記受信した識別情報に基づいて、制御を行う前記空調設備を決定する空調設備決定課程と、
少なくとも前記受信した前記識別情報に基づいて、前記制御を行うと決定した空調設備の制御用の制御情報を生成する制御情報生成課程と、
前記制御情報を前記制御を行うと決定した空調設備へ送信する制御情報送信課程と、
を有することを特徴とする空調設備制御方法。
【請求項１０】
在室者の保持した無線信号送信装置と、前記無線信号送信装置を受信する受信装置と、室内の空調設備の制御を行う空調設備制御装置と、を備えた空調管理システムにおける前記空調設備制御装置のコンピュータに実行させるプログラムであって、
前記無線信号送信装置から送信された無線信号を受信した前記受信装置から少なくとも当該受信装置の識別情報を受信する受信処理と、
少なくとも前記受信した識別情報に基づいて、制御を行う前記空調設備を決定する空調設備決定処理と、
少なくとも前記受信した前記識別情報に基づいて、前記制御を行うと決定した空調設備の制御用の制御情報を生成する制御情報生成処理と、
前記制御情報を前記制御を行うと決定した空調設備へ送信する制御情報送信処理と、
をコンピュータに実行させるプログラム。
【請求項１１】
在室者の保持した無線信号送信装置と、前記無線信号送信装置を受信する受信装置と、室内の空調設備の制御を行う空調設備制御装置と、を備えた空調管理システムにおける前記空調設備制御装置のコンピュータに実行させるプログラムを記録する記録媒体であって、
前記無線信号送信装置から送信された無線信号を受信した前記受信装置から少なくとも当該受信装置の識別情報を受信する受信処理と、
少なくとも前記受信した識別情報に基づいて、制御を行う前記空調設備を決定する空調設備決定処理と、
少なくとも前記受信した前記識別情報に基づいて、前記制御を行うと決定した空調設備の制御用の制御情報を生成する制御情報生成処理と、
前記制御情報を前記制御を行うと決定した空調設備へ送信する制御情報送信処理と、
をコンピュータに実行させるプログラムを記録する記録媒体。
【発明の詳細な説明】
【技術分野】
【０００１】
本発明は、エアコンなどの空調設備の自動制御を行う空調管理システムに関する。
【背景技術】
【０００２】
従来、室内に備えられたエアコンなどの空調設備を動作させる際には、例えば、室内全体の温度を増減させるために、室内に備えられたの各空調設備のいずれかまたは複数を制御して温度を増減させていた。ここで、空調設備を室内に設置して室内の温度の管理を行うシステムや技術についての文献が公開されている（例えば、非特許文献１〜３参照）。
【非特許文献１】“天井多孔板システム（ＣＰＣＳ−Ｉ）”、「online」、「平成１６年１１月２４日検索」、インターネット＜ＵＲＬ：http://www.snk.co.jp/es/solution/s_san14.html＞
【非特許文献２】“床吹出し空調システム”、「online」、「平成１６年１１月２４日検索」、インターネット＜ＵＲＬ：http://www.snk.co.jp/es/solution/s_ippan5.html＞
【非特許文献３】“床吹き出し空調システム”、「online」、「平成１６年１１月２４日検索」、インターネット＜ＵＲＬ：http://www.okumuragumi.co.jp/architec/tec_leef/kankyo/yuka.html＞
【発明の開示】
【発明が解決しようとする課題】
【０００３】
しかしながら、従来の空調管理の技術では、在室者は自身の室内における位置に基づいて、制御させる空調設備を把握し、その空調設備を制御させるようコントローラなどを用いて空調の温度や湿度の調整をする必要があり、在室者にとっては面倒な作業となっていた。
【０００４】
そこでこの発明は、在室者が温度調節のためにコントローラなどを用いて操作することなく適切に当該在室者の近傍の温度の調節を行うことができ、また空調設備の消費電力を適切に削減することができる空調管理システム、空調設備制御装置、空調設備制御方法ならびにそのプログラムと記録媒体を提供することを目的としている。
【課題を解決するための手段】
【０００５】
本発明は、上述の課題を解決すべくなされたもので、在室者の保持した無線信号送信装置と、前記無線信号送信装置を受信する受信装置と、室内の空調設備の制御を行う空調設備制御装置と、を備えた空調管理システムであって、前記無線信号送信装置が、無線信号を送信する無線信号発信手段を備え、前記空調設備制御装置が、前記無線信号を受信した受信装置から少なくとも当該受信装置の識別情報を受信する受信手段と、少なくとも前記受信した識別情報に基づいて、制御を行う前記空調設備を決定する空調設備決定手段と、少なくとも前記受信した前記識別情報に基づいて、前記制御を行うと決定した空調設備の制御用の制御情報を生成する制御情報生成手段と、前記制御情報を前記制御を行うと決定した空調設備へ送信する制御情報送信手段と、を備えることを特徴とする空調管理システムである。
【０００６】
また本発明は、上記空調管理システムにおいて、前記受信手段が、前記受信装置から当該受信装置の識別情報とともに前記無線信号の受信時の受信強度を受信し、前記空調設備決定手段が、少なくとも受信した前記識別情報と前記受信強度とに基づいて、制御を行う前記空調設備を決定し、制御情報生成手段が、少なくとも受信した前記識別情報と前記受信強度とに基づいて、前記制御を行うと決定した空調設備の制御情報を生成することを特徴とする。
【０００７】
また本発明は、上記空調管理システムにおいて、前記受信手段が、端末からの制御指示情報を受信し、前記制御情報生成手段は、前記制御指示情報が前記制御を行うと決定した空調設備の制御変更を示す情報である場合には、当該制御指示に基づく制御を停止し、前記制御指示情報が前記制御を行うと決定した空調設備以外の空調設備の制御変更を示す情報である場合には、当該制御指示情報で示される情報を前記制御情報とすることを特徴とする。
【０００８】
また本発明は、上記空調管理システムにおいて、前記無線信号送信装置の無線信号発信手段は、所定の間隔毎に前記無線信号を送信し、前記受信手段は、所定の間隔毎に、前記無線信号を受信した受信装置から、前記受信装置の識別情報、前記受信強度、のいずれかまたは両方を受信し、前記空調設備決定手段は、前記所定の間隔毎に制御を行う前記空調設備を決定し、前記制御情報生成手段は、前記所定の間隔毎に前記制御を行うと決定した空調設備の制御情報を生成することを特徴とする。
【０００９】
また本発明は、在室者の保持した無線信号送信装置と、前記無線信号送信装置を受信する受信装置と、室内の空調設備の制御を行う空調設備制御装置と、を備えた空調管理システムにおける前記空調設備制御装置であって、前記無線信号送信装置から送信された無線信号を受信した前記受信装置から少なくとも当該受信装置の識別情報を受信する受信手段と、少なくとも前記受信した識別情報に基づいて、制御を行う前記空調設備を決定する空調設備決定手段と、少なくとも前記受信した前記識別情報に基づいて、前記制御を行うと決定した空調設備の制御用の制御情報を生成する制御情報生成手段と、前記制御情報を前記制御を行うと決定した空調設備へ送信する制御情報送信手段と、を備えることを特徴とする空調設備制御装置である。
【００１０】
また本発明は、上述の空調設備制御装置において、前記受信手段は、前記受信装置から当該受信装置の識別情報とともに前記無線信号の受信時の受信強度を受信し、前記空調設備決定手段は、少なくとも受信した前記識別情報と前記受信強度とに基づいて、制御を行う前記空調設備を決定し、制御情報生成手段は、少なくとも受信した前記識別情報と前記受信強度とに基づいて、前記制御を行うと決定した空調設備の制御情報を生成することを特徴とする。
【００１１】
また本発明は、上述の空調設備制御装置において、前記受信手段が、端末からの制御指示情報を受信し、前記制御情報生成手段は、前記制御指示情報が前記制御を行うと決定した空調設備の制御変更を示す情報である場合には、当該制御指示に基づく制御を停止し、前記制御指示情報が前記制御を行うと決定した空調設備以外の空調設備の制御変更を示す情報である場合には、当該制御指示情報で示される情報を前記制御情報とすることを特徴とする。
【００１２】
また本発明は、上述の空調設備制御装置において、前記受信手段が、所定の間隔毎に、前記無線信号を受信した受信装置から、前記受信装置の識別情報、前記受信強度、のいずれかまたは両方を受信し、前記空調設備決定手段は、前記所定の間隔毎に制御を行う前記空調設備を決定し、前記制御情報生成手段は、前記所定の間隔毎に前記制御を行うと決定した空調設備の制御情報を生成することを特徴とする。
【００１３】
また本発明は、在室者の保持した無線信号送信装置と、前記無線信号送信装置を受信する受信装置と、室内の空調設備の制御を行う空調設備制御装置と、を備えた空調管理システムにおける前記空調設備制御装置の空調設備制御方法であって、前記無線信号送信装置から送信された無線信号を受信した前記受信装置から少なくとも当該受信装置の識別情報を受信する受信課程と、少なくとも前記受信した識別情報に基づいて、制御を行う前記空調設備を決定する空調設備決定課程と、少なくとも前記受信した前記識別情報に基づいて、前記制御を行うと決定した空調設備の制御用の制御情報を生成する制御情報生成課程と、前記制御情報を前記制御を行うと決定した空調設備へ送信する制御情報送信課程と、を有することを特徴とする空調設備制御方法である。
【００１４】
また本発明は、在室者の保持した無線信号送信装置と、前記無線信号送信装置を受信する受信装置と、室内の空調設備の制御を行う空調設備制御装置と、を備えた空調管理システムにおける前記空調設備制御装置のコンピュータに実行させるプログラムであって、前記無線信号送信装置から送信された無線信号を受信した前記受信装置から少なくとも当該受信装置の識別情報を受信する受信処理と、少なくとも前記受信した識別情報に基づいて、制御を行う前記空調設備を決定する空調設備決定処理と、少なくとも前記受信した前記識別情報に基づいて、前記制御を行うと決定した空調設備の制御用の制御情報を生成する制御情報生成処理と、前記制御情報を前記制御を行うと決定した空調設備へ送信する制御情報送信処理と、をコンピュータに実行させるプログラムである。
【００１５】
また本発明は、在室者の保持した無線信号送信装置と、前記無線信号送信装置を受信する受信装置と、室内の空調設備の制御を行う空調設備制御装置と、を備えた空調管理システムにおける前記空調設備制御装置のコンピュータに実行させるプログラムを記録する記録媒体であって、前記無線信号送信装置から送信された無線信号を受信した前記受信装置から少なくとも当該受信装置の識別情報を受信する受信処理と、少なくとも前記受信した識別情報に基づいて、制御を行う前記空調設備を決定する空調設備決定処理と、少なくとも前記受信した前記識別情報に基づいて、前記制御を行うと決定した空調設備の制御用の制御情報を生成する制御情報生成処理と、前記制御情報を前記制御を行うと決定した空調設備へ送信する制御情報送信処理と、をコンピュータに実行させるプログラムを記録する記録媒体である。
【発明の効果】
【００１６】
本発明によれば、在室者の位置によって、空調を制御するので、無駄な電力の消費を軽減することができる。また在室者の室内に位置する状況に応じて適切に空調設備を制御しているにもかかわらず、無駄な電力を消費するような制御指示が在室者から要望されたとしても、それを拒否することが可能となるので、これにより消費電力を軽減することができる。また在室者が空調の調節をしなくても自動で適切な空調制御が可能となるので在室者の労力を軽減することができる。
【発明を実施するための最良の形態】
【００１７】
以下、本発明の一実施形態による空調管理システムを図面を参照して説明する。図１は同実施形態による空調管理システムの構成を示すブロック図である。この図において、符号１は在室者が保持するＩＣタグである。ＩＣタグは、人物、物体等の識別に利用する無線ＩＣチップであり、識別情報等の情報が記録された不揮発性メモリを内部に有し、ＲＦＩＤ（Radio Frequency Identification）の技術により、電波等を使ってリーダとの間で不揮発性メモリ内の情報を無線信号によって送受信する機能を有している。また２はＩＣタグ１から発信された無線信号を受信するリーダである。また３は冷風や温風を吹き出す吹出口である。また４は室内を循環する空気を天井裏の排気管などへ吸入する吸入口である。また５は吸入口から吸入された空気を室外に排気する排気ファンである。また６は冷風や温風を吹き出す空調機である。また７は空調機から吹出口まで冷風、温風が通る２重床チャンバである。また８は吸入口から排気口まで空気が通る天井裏である。また１０は吹出口や吸入口や空調機などの空調設備を制御する空調管理サーバ（空調設備制御装置）である。
【００１８】
図２は空調管理サーバの機能ブロックを示す図である。
図２が示すように、符号１１は、通信ネットワークを介して空調機６、吹出口３、吸入口４などの空調設備と接続され、各空調設備と情報の送受信を行う通信処理部（受信手段、制御情報送信手段）である。また１２は各種データを記憶するデータベースである。また１３は制御対象となる空調設備を決定する空調設備決定部（空調設備決定手段）である。また１４は空調設備を制御するための制御情報を生成する制御情報生成部（制御情報生成手段）である。また１５は端末から送信された制御指示情報に基づいて、空調設備を制御する制御指示処理部である。
【００１９】
そして本実施形態においては、在室者がＩＣタグ１を保持しており、当該ＩＣタグ１の発信した無線信号に含まれる情報や当該無線信号を受信するリーダ２が送信する情報に基づいて、空調管理サーバ１０が空調機６、吹出口３、吸入口４などの空調設備の制御情報を生成し、当該生成した制御情報を各空調設備に送信することによって、それら空調設備を制御する。また図１によると、吹出口３は所定の位置に備えられているように示されているが、例えば格子状の細かな吹出口３や吸入口４が床全体や天井全体にあり、その格子状の細かな吹出口３の所定の箇所を開閉することによって、在室者の存在する近傍の温度を調節するようにしてもよい。また、図１によると床に吹出口３が、また天井に吸入口４が備えられているが、逆に天井に吹出口３が、また床に吸入口４を備えるようにしてもよい。その場合には空調機６は天井から冷風・温風を排出するように設置される。この空調管理サーバ１０の処理は、主に、空調制御設定処理と、在室状況情報処理と、空調要求処理がある。そしてそれらの処理を空調管理サーバ１０の各処理部が連携して行う。
【００２０】
図３は空調管理サーバの処理フローを示す第１の図である。
次に図３を用いて、本実施形態による空調システムの処理フローについて説明する。
まず、ユーザが保持するＩＣタグ１は自装置内のメモリに記憶する識別ＩＤ（識別情報）を含む無線信号を断続的（例えば所定の間隔おき）に発信する。そしてリーダ２が無線信号を受信すると共に、受信強度検出部によって無線信号の受信強度を検出する。そしてリーダ２は無線信号に含まれるＩＣタグ１の識別ＩＤと検出した受信強度と自装置の識別ＩＤとを通信ネットワークを介して空調管理サーバ１０へ通知する。ここで、リーダ２は、それぞれが通信ネットワークを介して情報を空調管理サーバ１０へ直接送信してもよいし、例えば、リーダ２がそれぞれ他のリーダ２から送信された情報を転送する機能部を有しており、情報を転送することによって、複数のリーダ２を経由して最終的に空調管理サーバ１０へ情報を送信するようにしても良い。
【００２１】
空調管理サーバ１０ではリーダ２から送信された情報を通信処理部１１が受信する（ステップＳ１）。そして空調設備決定部１３は、リーダ２からＩＣタグ１の識別情報を受信したか否かを判定し（ステップＳ２）、受信したと判定した場合には、次に、在室者が室内において不均衡に点在しているか否かを判定する（ステップＳ３）。例えば、室内を複数に区切った各小区画それぞれにリーダ２を備えておき、また予めデータベース１２に各小区画の範囲を座標によって記憶しておく。そして複数の小区画のうち所定の数以上の小区画に備えられたリーダ２で無線信号を受信した場合（リーダ２の識別ＩＤにより無線信号を受信したリーダ２を把握する）には、在室者が室内において均衡して点在していると判断する。以上の処理が在室状況情報処理である。
【００２２】
次に在室者が室内において均衡して点在している場合には、空調設備決定部１３は、部屋全体に対して快適環境を実現するための制御対象となる空調設備を決定する（ステップＳ４）。例えば、１つの室内に縦ｍ区画、横ｎ区画、計ｍ×ｎ区画の小区画ｍｎがある場合には、小区画１１、小区画ｍ１、小区画１ｎ、小区画ｍｎ、小区画（ｍ＋１）／２，（ｎ＋１）／２、の各小区画に位置する吹出口３、吸入口４を制御対象の空調設備と決定する。また、室内に在室する人数の多さによって、基準の人数以上か以下かを判定し、例えば基準の人数以上の場合には、制御対象の空調設備の位置する小区画の間隔を小さくして、より多くの空調設備の位置する小区画を室内全体に均一に特定するようにしてもよい。図４は小区画と、小区画１１、小区画ｍ１、小区画１ｎ、小区画ｍｎ、小区画（ｍ＋１）／２、（ｎ＋１）／２それぞれを示す図である。
【００２３】
なお、在室者の位置を、ＩＣタグ１から発信された前記無線信号の受信強度によって、特定するようにしても良い。その場合には、複数のリーダ２で検出した同一ＩＣタグ１からの無線信号の受信強度に基づいて、３点測量の手法を用いて位置を特定するなどして座標を算出する。なお、この場合、受信強度に応じた距離を予め記憶し、距離と各リーダ２の座標とに基づいて算出する。そして算出した座標に最も近い空調設備を制御対象の空調設備と決定する。
【００２４】
また、在室者が室内において不均衡に点在している場合には、空調設備決定部１３は、在室者の位置に応じた空調設備の制御であって、消費電力を節減できるような制御ができる、制御対象の空調設備を決定する（ステップＳ５）。例えば、無線信号を受信したリーダ２の識別情報から在室者の位置する前記小区画を決定し、当該小区画に位置する吹出口３、吸入口４のみを制御対象の空調設備と決定する。
【００２５】
次に、空調設備決定部１３が制御対象の空調設備を決定すると、制御情報生成部１４が制御情報を生成する（ステップＳ６）。この制御情報は吹出口３に対しては風向き、吹出口開閉指示、吹出口大きさなどを示す情報である。制御情報生成部１４は、制御対象となる空調設備に位置する小区画のリーダ２から送信されたタグ１の識別ＩＤの受信強度と、タグ１の識別ＩＤの数（在室者の人数）によって、所定の計算式により、風向き、吹出口の大きさを算出する。例えば、制御対象の小区画に位置するリーダ２で受信したタグ１の識別ＩＤが所定の数以上である場合には、吹出口の大きさを最大と指示する制御情報を生成する。また制御対象以外の吹出口３や吸入口４に対しては吹出口を閉じるよう指示する制御情報を生成する。また空調機６に対しては、制御対象の小区画に位置するリーダ２で受信したＩＣタグ１の識別ＩＤが所定の数以上である場合には冷風の度合いを最も強い値、風量を最も強い値などに設定した制御情報を生成する。
【００２６】
そして制御情報生成部１４は、生成した制御情報を空調設備決定部１３で決定された空調設備に送信するよう通信処理部１１に通知する。そして、通信処理部１１は、制御情報を制御対象の空調設備に送信する（ステップＳ７）。以上の処理が空調制御設定処理である。そして制御情報を受信した空調設備は制御情報に基づいて作動する。そして以上の処理により、例えば図１に示すように部屋の左側に在室者がいるような場合には、実線で示した矢印の経路に沿って冷風や温風が循環する。なおここまでの説明では在室者の室内での位置のみを考慮しているが、ＩＣタグに温度センサを取り付けて、その情報もあわせて用いることも考えられる。
【００２７】
図５は空調管理サーバの処理フローを示す第２の図である。
次に、図５を用いて在室者が空調設備の調節を手動で行った際の処理について説明する。
在室者は端末を用いて、空調設備の調節を行っても良い。その際、端末からは通信ネットワークを経由して制御指示情報が送信される。制御指示情報には、端末の識別ＩＤ、端末を操作する在室者のＩＤ、設定温度、風量などの情報が格納されている。空調管理サーバ１０の通信処理部１１が通信ネットワークを介して制御指示情報を受信すると（ステップＳ５１）、制御指示処理部１５は既に空調設備決定部１３が制御対象と決定した空調設備の制御指示であるか否かを判定する（ステップＳ５２）。そして、例えば、予め管理者としてのユーザのＩＤをデータベース１２に記憶しておき、制御指示情報に含まれる端末を操作する在室者の識別ＩＤが管理者のＩＤと異なる場合であって、かつ既に空調設備決定部１３が制御対象と決定した空調設備の制御指示である場合には、制御不可と判断して端末に通知する（ステップＳ５３）。これにより、既に空調管理サーバ１０が在室者の室内に位置する状況に応じて適切に空調設備を制御しているにもかかわらず、無駄な電力を消費するような制御指示が在室者から要望されたとしても、それを拒否することが可能となる。これにより消費電力を軽減することができる。
【００２８】
また制御指示処理部１５は、制御指示情報に含まれる端末を操作する在室者の識別ＩＤが管理者のＩＤである場合や、既に空調設備決定部１３が制御対象と決定した空調設備以外の空調設備の制御指示である場合などには、制御可能と判断し、制御指示情報に含まれる制御用の情報（設定温度、風量など）を、制御指示情報を送信した端末の位置する小区画の空調設備へ送信する（ステップＳ５４）。以上の処理が空調要求処理である。なおデータベースは予め各小区画に位置に備えられたリーダ２と空調設備と端末の情報を対応づけて記憶し、これにより、端末やリーダ２の位置する小区画に対応する空調設備を把握することができる。
【００２９】
例えば、図１においては、部屋の左側について実線で示された矢印により、温風や冷風が循環するようなイメージとなっているが、管理者が部屋全体を暖めておきたい（または涼しくしておきたい）時など、端末を制御して空調管理サーバ１０に制御指示情報を送信しておくことで、図１の点線の矢印の部分についても温風や冷風が循環する。この時、点線の矢印で表されている温風や冷風の吹き出る吹出口や吸入口が動作する。これは、例えば１０分後に大勢の来客がある場合や、数時間後に部屋が試験会場となるような時に有用である。
【００３０】
上述の空調管理システムにおける各装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３２】
【図１】本発明の一実施形態による空調管理システムの構成を示すブロック図である。
【図２】本発明の一実施形態による空調管理サーバの機能ブロックを示す図である。
【図３】本発明の一実施形態による空調管理サーバの処理フローを示す図である。
【図４】本発明の一実施形態による小区画それぞれを示す図である。
【図５】本発明の一実施形態による空調管理サーバの処理フローを示す第２の図である。
【符号の説明】
【００３３】
１・・・ＩＣタグ、２・・・リーダ、３・・・吹出口、４・・・吸入口、５・・・排気ファン、６・・・空調機、７・・・２重床チャンバ、８・・・天井裏、１０・・・空調管理サーバ、１１・・・通信処理部、１２・・・データベース、１３・・・空調設備決定部、１４・・・制御情報生成部、１５・・・制御指示処理部
【図１】
2006242540.tif 000003
【図２】
2006242540.tif 000004
【図３】
2006242540.tif 000005
【図４】
2006242540.tif 000006
【図５】
2006242540.tif 000007